(57)【要約】      （修正有）【課題】簡単かつ迅速に設置できる組立式装置を提供する。【解決手段】組み立て式装置１００は、底部フレーム１と、底部フレームに取り付けられた壁部２と、壁部に取り付けられた頂部３と、を含み、底部フレーム、壁部及び頂部が組み立てられて部屋スペース２００が形成される。部屋スペースの形状は、底部フレームの形状を調整することにより変化される。実際のニーズ、設置場所の形状や大きさなどに応じて、部屋スペースと底部フレームとの形状や大きさを調整し、工場で底部フレームユニットの各部品の加工を完了した後に、設置場所に搬入し部品を組み立てる。従って、底部フレームの位置、形状と大きさは、部屋のタイプ及び利用者の個人的なニーズに応じて変更でき、組み立て式装置は、様々なタイプの部屋、特に特殊な形状のエリアに適し、無駄なスペースを減らし、スペースの利用効率を向上させる。【選択図】図１
0003235077.tif 000002
【実用新案登録請求の範囲】
【請求項１】
底部フレームと、前記底部フレームに取り付けられた壁部と、前記壁部に取り付けられた頂部と、を含み、
前記底部フレーム、前記壁部及び前記頂部が組み立てられて、部屋スペースが形成され、
前記部屋スペースの形状は、前記底部フレームの形状を調整することにより変化される
ことを特徴とする組み立て式装置。
【請求項２】
前記底部フレームは、複数の底部フレームユニットを含み、
前記複数の底部フレームユニットは、接合されて、一体化されることを特徴とする請求項１に記載の組み立て式装置。
【請求項３】
前記底部フレームユニットは、複数のロッドにより組み立てられ、
前記ロッドを調整することにより、前記底部フレームユニットの形状を変化させることを特徴とする請求項２に記載の組み立て式装置。
【請求項４】
前記底部フレームには継ぎ目補強部が設けられており、
前記継ぎ目補強部は、前記複数のロッドの接合位置と前記複数の底部フレームユニットの接合位置を補強することを特徴とする請求項３に記載の組み立て式装置。
【請求項５】
前記底部フレームにはベースプレートが取り付けられ、
前記ベースプレートには防水膜が敷設されていることを特徴とする請求項１〜４のいずれか１項に記載の組み立て式装置。
【請求項６】
前記底部フレームには壁取り付け部が設けられ、
前記壁部は前記壁取り付け部に固定されていることを特徴とする請求項１〜４のいずれか１項に記載の組み立て式装置。
【請求項７】
前記壁取り付け部には第１のクリップ部が設けられており、
前記壁部は前記第１のクリップ部と差し込み接続されていることを特徴とする請求項６に記載の組み立て式装置。
【請求項８】
前記壁部は、接合され接続された壁パネルユニットを複数含むことを特徴とする請求項１〜４のいずれか１項に記載の組み立て式装置。
【請求項９】
前記壁パネルユニットの接合接続箇所に、壁パネル補強部は設けられていることを特徴とする請求項８に記載の組み立て式装置。
【請求項１０】
前記頂部には頂部固定部が設けられ、
前記頂部固定部は前記壁部に接続されていることを特徴とする請求項１〜４のいずれか１項に記載の組み立て式装置。
【請求項１１】
前記頂部固定部には第２のクリップ部が設けられており、
前記壁部は前記第２のクリップ部と差し込み接続されていることを特徴とする請求項１０に記載の組み立て式装置。
【請求項１２】
底部支持脚を更に含み、前記底部支持脚で前記底部フレームの高さを調整することを特徴とする請求項１〜４のいずれか１項に記載の組み立て式装置。
【考案の詳細な説明】
【技術分野】
【０００１】
本考案は住宅用設備に関する。
【背景技術】
【０００２】
従来の家屋構造では、機能の異なる空間が統合された構造、例えば、トイレとバスルームが一体化されたトイレ浴室設備（「トイレ・浴室ユニット」とも呼ばれる）は、取付が便利で、スペース利用効率が高いというメリットがある。従来は、浴室内の水漏れを防ぐため、トイレ・浴室ユニットの床は、一般的に型鍛造で、トイレ・浴室ユニット全体の一枚の床が作られる。しかしながら、このような全体的に一枚の床の金型生産は、トイレ・浴室ユニットの様々なニーズに柔軟的に対応することができず、様々な部屋タイプへ適用できないため、実際の様々なニーズに応えることができず、特に特殊な形状のスペースに適用することができない。このようなトイレ・浴室ユニットなどの一体型家屋構造は、ホテルや病院など利用形態多様化のニーズが高くない場所に適され、一般的な住宅には適用しない。
【０００３】
また、工事現場の実際の状況により、例えば、エレベータのスペースが小さく、エレベータの荷重制限、階段が狭いなど、部品全体のサイズと重量が制限され、広い部屋用の大きい部品の工事が困難である。また、一枚大きな床など大きな部品の搬送も難しく、特別な装置が必要となることが多く、人件費が高くなり、作業が困難で、後のメンテナンスも困難で面倒になり、水漏れなどの故障が発生すると、検出が難しく、バスルーム全体を取り外すしかない。
【考案の概要】
【考案が解決しようとする課題】
【０００４】
本考案は上記従来の問題点を鑑みてなされ、使用形態の多様性、様々な部屋スペースの形態、個性的なニーズに対応でき、簡単かつ迅速に設置できる組立式装置を提供することを目的とする。
【課題を解決するための手段】
【０００５】
本考案による組み立て式装置は、底部フレームと、底部フレームに取り付けられた壁部と、壁部に取り付けられた頂部と、を含み、底部フレーム、壁部及び頂部が組み立てられて、部屋スペースが形成され、部屋スペースの形状は、底部フレームの形状を調整することにより変化される。
【０００６】
好ましくは、底部フレームは、複数の底部フレームユニットを含み、複数の底部フレームユニットは、接合されて、一体化される。
【０００７】
好ましくは、底部フレームユニットは複数のロッドで組み立てられ、ロッドを調整することにより底部フレームユニットの形状が変化される。
【０００８】
好ましくは、底部フレームには継ぎ目補強部が設けられており、継ぎ目補強部は複数のロッドの接合位置と複数の底部フレームユニットの接合位置を補強する。
【０００９】
好ましくは、底部フレームにはベースプレートが取り付けられ、ベースプレートには防水膜が敷設されている。
【００１０】
好ましくは、底部フレームには壁取り付け部が設けられ、壁部は壁取り付け部に固定されている。
【００１１】
好ましくは、壁取り付け部には第１のクリップ部が設けられており、壁部は第１のクリップ部と差し込み接続されている。
【００１２】
好ましくは、壁部には、接合接続された壁パネルユニットを複数含む。
【００１３】
好ましくは、壁パネル補強部は、壁パネルユニットの接合接続箇所に設けられている。
【００１４】
好ましくは、頂部には頂部固定部が設けられ、頂部固定部は壁部に接続されている。
【００１５】
好ましくは、頂部固定部には第２のクリップ部が設けられており、壁部は第２のクリップ部と差込接続されている。
【００１６】
好ましくは、本考案による組み立て式装置は底部支持脚を更に含み、底部支持脚は底部フレームの高さを調整する。
【００１７】
本考案による組み立て式装置は、底部フレームに壁部、頂部を取り付け、部屋スペースを形成する。底部フレーム、部屋スペースの大きさは、家屋の状況に応じて決められるため、家屋のスペースを無駄にすることなく、あらゆる特殊な形状のスペースを利用でき、家屋のスペースを最大限に活用する。
【００１８】
底部フレームは複数の底部フレームユニットから組み立てられるので、各底部フレームユニットは工場で組み立てられ、工事現場で底部フレームユニットを組み立てて、底部フレームを形成する。これにより、工事時間を節約でき、設置手順が簡単で、工事は容易である。
【００１９】
底部フレームユニットはロッドを組み立ててなるため、ロッドを調整することで底部フレームユニットの形状を変更することができ、部屋のタイプや利用者のニーズに合わせて部屋スペースの形状とサイズを変更できる。例えば、部屋の梁、柱や湾曲した壁など不規則な物を避け、特殊な形状のエリアに適し、スペースの利用効率を向上させることができる。
【００２０】
底部フレームにベースプレートが取り付けられており、ベースプレートに防水膜を更に敷設することにより、部屋スペースをバスルーム、又は他の防水が求められるスペースとして使われる場合、防水機能を実現でき、大きな部品を形成する際の一体型の金型が必要はない。また、ベースプレートと防水膜は、後にメンテナンスの際に自由に取り外せるので、水漏れの点検及びその他のメンテナンス作業は容易にできる。
【００２１】
また、組立式装置を取り外す時に、大量なSMC廃棄物が発生することはない。組み立て式装置を再度取り付ける時に、防水膜を交換するだけで再利用することができる。
【図面の簡単な説明】
【００２２】
以下、添付された図面を参照しながら本考案の好ましい実施形態を説明する。なお、これらの図面は本考案の好ましい実施形態を説明するためのものであり、本考案を限定するものではない。
【００２３】
【図１】図１は本考案の第１実施形態に係る組み立て式装置の全体構造の分解模式図である。
【図２】図２は本考案の第１実施形態に係る組み立て式装置の断面図である。
【図３】図３は本考案の第１実施形態に係る他の組立式装置の底部フレームの平面図である。
【図４】図４は本考案の第１実施形態に係るベースプレート、防水膜及び壁部の一部の取付模式図である。
【図５】図５は本考案の第１実施形態に係る壁部、頂部の一部の取付模式図である。
【図６】図６は本考案の第２実施形態に係る底部フレームの平面図である。
【図７】図７は本考案の第２実施形態に係る底部フレームの斜視模式図である。
【図８】図８は本考案の第２実施形態に係る底部フレームの変形例の平面図である。
【考案を実施するための形態】
【００２４】
以下、添付図面を参照しながら、本考案の組立式装置の構成を詳細に説明する。なお、本明細書及び図面において、実質的に同一の機能を有する構成要素については、同一の符号を付し、重複説明を省略する。
【００２５】
［第１の実施形態］
図１は本考案の第１実施形態に係る組立式装置１００の全体構造の分解模式図である。
【００２６】
図１に示すように、第１実施形態の組立式装置１００は、底部フレーム１と、底部フレームに取り付けられた壁部２と、壁部２に取り付けられた頂部３を含む。
【００２７】
底部フレーム１は、組立式装置１００の本体支持構造であり、壁部２、及び各種住宅内設備、例えば、洗面所用器具、トイレ用器具（例えば洗面台、便器等）、浴室用器具（例えば浴槽、シャワーヘッド等）、キッチン用器具、及び/又はタンス、本棚、または棚等の器具を含むキャビネットタイプの器具等は、底部フレーム１に取り付けられ、バスルーム、キッチン、書斎、クロークなどとして用いられる。底部フレーム１、壁部２及び頂部３が組み立てられて部屋スペース２００が形成される。部屋スペース２００の形状は、底部フレーム１の形状を調整することにより変化する。部屋スペース２００の形状とサイズは、利用者のニーズ、設置場所の空間特徴等に応じて調整することができる。底部フレーム１の形状およびサイズも、部屋スペース２００によって変化する。
【００２８】
組立式装置１００を設置する前に、部屋のレイアウトを調べ、利用者のニーズ、部屋空間特徴などに応じて設置場所を決め、設置場所を測定して部屋スペース２００と底部フレーム１の形状、サイズを決める。
【００２９】
底部フレーム１は一体化した一つのフレームであってもよく、設置場所の特徴によく適合するため、底部フレーム１は複数の底部フレームユニットからなっていてもよい。底部フレームユニットは、それぞれ、複数のロッドで組み立てられ、様々な場所に適応する時に、ロッドを調整することにより底部フレームユニットの形状を変更することができる。工場では、具体的な寸法に基づき、底部フレーム１を構成する各底部フレームユニットのロッドを切断し、加工した後、完成した各底部フレームユニットを設置現場まで搬入し、工事現場で組み立て、一つの底部フレーム１に接合される。
【００３０】
本実施形態の組立式装置１００は、実際のニーズ、設置場所の形状や大きさなどに応じて、部屋スペース２００と底部フレーム１との形状や大きさを調整し、工場で底部フレームユニットの各部品の加工を完了した後に、設置場所まで搬入して部品を組み立てる。従って、部屋のタイプや、利用者の個人ニーズに応じて、底部フレーム１の位置を変更することができ、また、トイレ、浴室、キッチン、書斎又はクローク等の位置を変更することもできる。
【００３１】
底部フレーム１の位置、形状と大きさは、部屋のタイプ及び利用者の個人ニーズに応じて変更できるため、本実施形態の組立式装置１００は、様々なタイプの部屋、特に特殊な形状のエリアに適し、無駄なスペースを減らし、スペースの利用効率を向上させることができる。
【００３２】
製造されたロッドは工場で各底部フレームユニットに組み立てられているため、設置現場で各底部フレームユニットを一つの底部フレーム１に組み立てるだけで済み、設置現場で各ロッドを組み立てることがなく、部屋自体に対して工事が不要であるため、短時間で迅速に設置が完了し、工事が大幅に容易になり、工事時間が大幅に短縮され、工事コストが大幅に削減される。工事現場での工事内容は主に組み立てとねじ止めであるため、工事現場で、様々な工事廃棄物や、大気汚染の原因となる粉塵、切削騒音などは発生せず、工事による環境汚染を最小限に抑えることができる。
【００３３】
図２は本考案の第１実施形態に係る組立式装置１００の断面図である。
【００３４】
以下、バスルームを部屋スペース２００の具体例として説明する。説明の便宜上、必要に応じて部屋スペース２００をバスルームスペース２００と呼ぶ。なお、本実用新案において、部屋スペース２００は、浴室に限らず、キッチン、書斎、クローク、その他防水が必要な空間など、様々な用途に用いられる。
【００３５】
図１および図２に示すように、バスルームスペース２００は、浴槽４等の入浴装置を備えている。底部フレーム１の形状と大きさは、バスルームスペース２００の形状、浴槽４の仕様、設置場所のスペース等に応じて決められる。
【００３６】
以下は、円弧状壁を含む住宅構造を例として説明する。勿論、本実用新案はこれに限らず、さまざまな特殊な形状の空間を持つ住宅にも適応している。
【００３７】
大きな円弧状壁３００を有する部屋空間の場合、工事現場に良く適応し、スペースの利用効率を高めるため、本実施形態の底部フレーム１は、具体的に、第１のユニット１１、第２のユニット１２、および第３のユニット１３を含む。 浴槽４などの入浴装置は、バスルームスペース２００に応じて合理的に配置することができる。このように、底部フレーム１は複数の底部フレームユニットに分割されることにより、各底部フレームユニットは工場で組み立てられ、輸送や取り扱いが便利になるだけではなく、工事現場での設置手順も簡略化され、工事時間が節約される。
【００３８】
実際の工事現場の状況に応じて、第１のユニット１１は単純な正方形構造に設定し、第２のユニット１２および第３のユニット１３は一部の円弧状構造に設定することができる。第２のユニット１２と第３のユニット１３の円弧状の構造部品は、スペースを最大限に活用するため、円弧状壁３００に正確に適合している。なお、第２のユニット１２と第３のユニット１３の円弧状の構造部分は、工事現場に完全に適合された円弧状であってもよく、製造工程、及び円弧状の構造部分に設けられる壁部２の製造と設置を簡略化させるため、円弧状の構造部分は、複数の直線セグメント１３１に分割し、複数の直線セグメント１３１を互いに接合し、円弧状壁３００に近い円弧状構造を形成することにしてもよい。該円弧状の構造部分に壁部２を設ける時に、壁２を各直線セグメント１３１と同じ長さの複数の壁ユニットに分割し、各壁ユニットを対応する直線セグメント１３１に設置するだけで、略円弧状の壁部２が形成される。これにより、製造工程が簡略化されるのみならず、工事時間が節約され、製造コストが削減できる。
【００３９】
勿論、各底部フレームユニットの数と具体的な形状やサイズは、工事現場の状況に応じて柔軟に調整することができ、図２の形状に限定されない。
【００４０】
図１に示されるように、壁部２は、複数の接合・接続された壁パネルユニット２１が含まれる。壁部２を設置する際に、まず各壁パネルユニット２１を底部フレーム１に対応した位置に設置し、次に各壁パネルユニット２１を接合し接続して一つの壁部２を形成する。壁部２を複数の壁パネルユニット２１に分割することにより、設置だけでなく、輸送にも便利となる。
【００４１】
壁パネルユニット２１の壁パネル材料は、カラー鋼板、シートモールディングコンパウンド（ＳＭＣ）、ガラス繊維強化プラスチック（ＦＲＰ）等の材料から選択することができ、これらの材料は、高強度で、全体の構造がしっかりしており、取り付けにも便利である。壁パネルユニット２１の強度を高めるため、壁パネル補強部２２を壁パネルユニット２１の接合部に設け、壁パネルユニット２１の接合位置にも十分な強度を有することが保障できる。壁パネル補強部２２は、壁部２の全体的な強度を高めるため、ステンレス鋼の角管材料、または厚鋼板などが使用される。
【００４２】
壁部２の設置後に、壁部２の上端面に頂部３を設ける。頂部３は、工事現場の大きさや形状等に応じて複数の頂部ユニットに分割してもよい。本実施形態において、頂部３は第１の頂部ユニット３１と第２の頂部ユニット３２に分割されている。第１の頂部ユニット３１と第２の頂部ユニット３２は、工場で別々に製造された後に、工事現場に輸送され、現場で直接組み立てる。頂部３の形状とサイズは、底部フレーム１の形状とサイズに適合しており、第１の頂部ユニット３１と第２の頂部ユニット３２が対応する位置にそれぞれ取り付けられた後に、第１の頂部ユニット３１と第２の頂部ユニット３２を接続して固定し、一つの頂部３になる。図１における頂部ユニットの分割方法は一つの例にすぎず、頂部ユニットの分割方法は工事現場の変化に応じて調整することができ、図１に示す分割方法に限定されない。
【００４３】
図３は本考案の第１実施形態に係る他の組み立て式装置の底部フレームの平面図である。
【００４４】
図３に示すように、より小さな円弧状壁４００を有する部屋スペースの場合、現場により良く適応し、スペースの利用効率を高めるため、本実施形態の底部フレーム１ａは、具体的に、第４のユニット１４と第５のユニット１５を含む。
【００４５】
円弧状壁４００の円弧状の長さは比較的短いので、第４のユニット１４と第５のユニット１５はいずれも正方形の構造にすることができ、円弧状壁４００に対応する第５のユニットの位置に斜め開口部１５１が設けられている。これにより、場所変更のニーズに適応し、スペースを最大限に活用するだけではなく、生産工程も簡略化できる。
【００４６】
各底部フレームユニットは、工場で製造される時に組み立てられるため、各底部フレームユニットを工事現場に搬入した後に、一つの底部フレーム１に直接接合することができる。底部フレーム１を組み立て、水平調整した後に、下水管に接続し、接続ストリップ等の部品を固定してから、壁部２、頂部３、及びドアと窓、浴槽４、棚などを底部フレーム１に取り付ける。
【００４７】
図４は本考案の第１実施形態に係るベースプレート、防水膜及び壁部の一部の取付模式図である。
【００４８】
図４に示すように、底部フレーム１を取り付けた後に、ベースプレート５を底部フレームに取り付ける。図４での矢印は取付方向を示している。取付手順をより明確に示すため、図４では一部の部品が省略されている。ベースプレート５に、ポリマーフォーム、ポリマーテンプレート等の材料を用いてもよく、これらの材料は軽量であり、運搬しやすい、切断しやすい等の利点を有する。
【００４９】
底部フレーム１は、主にロッド１１１で構成されている。ロッド１１１は強度の高い四角のパイプで作られる。工場では、製造されたロッド１１１は底部フレームユニットに組み立てられる。 ロッド１１１によって組み立てられた底部フレームユニットは、組立式装置１００の耐荷重部品として機能する。
【００５０】
底部フレームユニットが組み立てられた後に、ロッド１１２は、底部フレームユニットのバスルームスペース２００に面する側に取り付けられる。 ロッド１１２は、ベースプレート５を取り付けるために、ロッド１１１よりも小さいサイズの角パイプを使用する。ロッド１１１は、ロッド１１２に溶接されてもよく、または、ボルト接続によって固定されてもよい。接続方法は具体的に限定されない。
【００５１】
ベースプレート５を取り付けて固定した後に、ベースプレート５に防水膜６を敷設する。防水膜６の材料は、全体的な防水性と滑り止め性に優れ、施工しやすく、切断しやすく、防汚性に優れ、排水性に優れ、保温・断熱の役割も果たせる防水樹脂を選択する。防水膜６が設けられているので、本実施形態に係る組立式装置１００は防水機能を有する。そのため、部屋スペース２００は、浴室に限らず、防水が必要とするあらゆるスペースに適用する。
【００５２】
図４に示すように、底部フレーム１には壁取り付け部１１３が設けられ、壁部２は壁取り付け部１１３に固定されている。
【００５３】
組立式装置１００は底部支持脚７も含み、底部支持脚７は底部フレーム１の高さを調整する。
【００５４】
底部支持脚７の高さは必要に応じて調節可能である。底部支持脚７は底部フレーム１全体を一定の高さまで持ち上げられるので、部屋内のトイレ・浴室の設置位置を柔軟に変更でき、下水道の位置やコンタクトソケットに影響されず、設置スペースを最大限自由に選択することができ、浴室の水漏れや他のトラブルが発生した時に、点検口を短時間で開けて修理することができる。また、底部フレーム１を容易に分解して不良部品を交換することができる。
【００５５】
図５は本考案の第１実施形態に係る壁部、頂部の一部の取付模式図である。
【００５６】
図５では、壁部２の破線は、一部の壁の図示を省略したことを意味する。
【００５７】
図５に示すように、壁取り付け部１１３には第１のクリップ部１１４が設けられており、壁部２は第１のクリップ部１１４と差込接続されている。第１のクリップ部１１４の幅は、壁部２の厚さとほぼ同じである。壁部２を第１のクリップ部１１４に差し込み、壁部２の揺れを防ぐことができる。壁部２をしっかり固定するために、壁部２と壁取り付け部１１３とを固定接続してもよい。例えば、ボルト、リベット等によって固定接続する。
【００５８】
図５に示すように、頂部３に天井３３は設けられ、天井３３にはガラス繊維強化プラスチック、アルミニウム合金などのより軽い材料を用いる。頂部３には頂部固定部３４が設けられており、頂部固定部３４は壁部２に接続され、これにより、頂部３が壁部の上端面に取り付けられる。
【００５９】
頂部固定部３４には第２のクリップ部３５が設けられており、壁部２は第２のクリップ部３５と差込接続されている。第２のクリップ部３５の幅は、壁部２の厚さとほぼ同じである。壁部２の上端面が第２のクリップ部３５に差し込まれることにより、頂部３を壁部２に固定する。頂部３をしっかり固定するために、壁体２と頂部固定部３４とを固定接続してもよい。例えば、ボルト、リベット等によって固定されて接続する。
【００６０】
上記の実施形態では、円弧状の部屋構造を有する特殊な形状のスペースに適応するため、組立式装置１００内に、一部に円弧状形状を有する部屋スペース２００が形成され、その結果、部屋のすべてのスペースが十分に活用される。
【００６１】
本実施形態の組立式装置１００は、実際のニーズ、設置場所の形状や大きさなどに応じて、部屋スペース２００と底部フレーム１との形状や大きさを調整し、工場で底部フレームユニット各部品の加工完了後に、設置場所に搬入して部品を組み立てる。従って、底部フレーム１の位置、形状と大きさは、部屋のタイプ及び利用者の個人ニーズに応じて変更でき、本実施形態の組立式装置１００は、様々なタイプの部屋、特に特殊な形状のエリアに適し、無駄なスペースを減らし、スペースの利用効率を向上させることができる。
【００６２】
［第２の実施形態］
第２の実施形態において、底部フレームは、建物内の柱などの構造を避けることができる。
【００６３】
図６は本考案の第２実施形態に係る底部フレームの平面図である
【００６４】
図６に示すように、本実施形態の部屋の角部位置に柱５００がある。このような部屋の特徴に良く適応し、スペースの利用効率を向上させるため、本実施形態の底部フレーム１ｂは、第６のユニット１６と第７のユニット１７を有する。第７のユニット１７の幅は柱５００の幅に適合し、取り付ける際に、柱５００と同じ幅の第７のユニット１７の一辺を、柱５００の対応する辺に当接する。また、第６のユニット１６を、柱５００と第７のユニット１７に接合し、底部フレーム１ｂが組み立てられる。
【００６５】
図７は本考案の第２実施形態に係る底部フレームの斜視模式図である。
【００６６】
図７に示すように、底部フレーム１ｂは第６のユニット１６と第７のユニット１７からなるので、輸送や取り扱いが容易になり、部屋スペースの隅にある柱５００を避け、無駄なスペースを減らし、スペースの利用効率を向上させることができる。
【００６７】
底部フレーム１ｂには継ぎ目補強部８が設けられており、複数のロッドの接合位置と複数の底部フレームユニットの接合位置を補強する。
【００６８】
図７に示すように、継ぎ目補強部８は、底部フレーム１ｂの地面に面する側に、ロッドの接合位置および各底部フレームユニットの接合位置に取り付けられ、複数のロッドを接続し、固定し、一体化して、安定した底部フレーム１ｂを形成する。継ぎ目補強部８は、複数のねじ８１によってロッドに固定される。ねじ８１で継ぎ目補強部８と底部フレーム１ｂを固定し、一体化する場合、取り付けや取り外しが便利になる。
【００６９】
図８は本考案の第２実施形態に係る底部フレームの変形例の平面図である。
【００７０】
図８における底部フレーム１ｃは、図６における底部フレーム１ｂの変形例である。図８に示すように、柱５００は部屋壁の中央に位置している。このような部屋の特徴に良く適応し、スペースの利用効率を向上させるため、本実施形態の底部フレーム１ｃは、第６のユニット１６、第８のユニット１８と第９のユニット１９を有する。第８のユニット１８と第９のユニット１９の幅は柱５００の幅に適合し、取り付ける際に、柱５００と同じ幅の第８のユニット１８と第９のユニット１９の一辺を、柱５００の両側の対応する辺にそれぞれ当接する。そして、第６のユニット１６を、柱５００、第８のユニット１８、第９のユニット１９に接合し、底部フレーム１ｃが組み立てられる。
【００７１】
勿論、底部フレームユニットの数や、具体的な形状、サイズは、工事現場の状況に応じて柔軟に調整することができ、図６と図８の形状に限定されない。
【００７２】
上記実施形態では、実際のニーズ、設置場所の形状や大きさなどに応じて、部屋スペースと底部フレームとの形状や大きさを調整し、工場で底部フレームユニット各部品の加工完了した後に、設置場所に搬入し部品を組み立てる。従って、底部フレームの位置、形状と大きさは、部屋のタイプや利用者の個人ニーズに応じて変更できるため、本考案に係る組立式装置は、様々なタイプの部屋、特に特殊な形状のエリアに適し、無駄なスペースを減らし、スペースの利用効率を向上させることができる。
【００７３】
以上、本考案の好ましい実施例を説明したが、本考案はこれらの実施例に限定されるものではない。当業者は、本考案の範囲および概念から逸脱しない範囲で、これらの実施例への変更、均等的な置換または修正は、本考案の技術的範囲に属する。
【符号の説明】
【００７４】
１        底部フレーム
１１      第１のユニット
１１１    ロッド
１１２    ロッド
１１３    壁取り付け部
１１４    第１のクリップ部
１２      第２のユニット
１３      第３のユニット
１３１    直線セグメント
１４      第４のユニット
１５      第５のユニット
１５１    斜め開口部
１６      第６のユニット
１７      第７のユニット
１８      第８のユニット
１９      第９のユニット
２        壁部
２１      壁パネルユニット
２２      壁パネル補強部
３        頂部
３１      第１の頂部ユニット
３２      第２の頂部ユニット
３３      天井
３４      頂部固定部
３５      第２のクリップ部
４        浴槽
５        ベースプレート
６        防水膜
７        底部支持脚
８        継ぎ目補強部
８１      ねじ
１００      組み立て式装置
２００      部屋のスペース
３００      円弧状壁
４００      より小さな円弧状壁
５００      柱
【図１】
0003235077.tif 000003
【図２】
0003235077.tif 000004
【図３】
0003235077.tif 000005
【図４】
0003235077.tif 000006
【図５】
0003235077.tif 000007
【図６】
0003235077.tif 000008
【図７】
0003235077.tif 000009
【図８】
0003235077.tif 000010